(57)【要約】【課題】  電子ビューファインダーと開閉自在なモニター部を併用して撮影する際に、表示の切り替えに要する手間と時間を削減した撮影装置を提供すること。【解決手段】  電子ビューファインダーが使用位置にあり、開閉自在なモニター部が開状態であるときに、両方の表示部に画像を表示する。【選択図】  図２
2009130825.tif 000002
【特許請求の範囲】
【請求項１】
収納位置と使用位置とに可動する電子ビューファインダー部と、該電子ビューファインダー部の位置を検出する手段と、筐体側部に取り付けられた開閉自在な画像表示部と、該画像表示部の開閉状態を検出する手段とを具備し、
前記開閉自在な画像表示部が開状態であり、かつ、前記電子ビューファインダー部が使用位置にあることを検出したときに、前記開閉自在な画像表示部と電子ビューファインダーとが共に画像を表示することを特徴とする撮影装置。
【請求項２】
請求項１に記載の撮影装置において、再生モードにおいては、前記開閉自在な画像表示部が画像を表示し、前記電子ビューファインダーは画像を表示しないことを特徴とする撮影装置。
【請求項３】
収納位置と使用位置とに可動する電子ビューファインダー部と、該電子ビューファインダー部の位置を検出する手段と、電子ビューファインダーが覗かれていることを検出する接眼感知機能と、筐体側部に取り付けられた開閉自在な画像表示部と、該画像表示部の開閉状態を検出する手段とを具備し、
前記開閉自在な画像表示部が開状態であり、かつ、前記電子ビューファインダー部が使用位置にあることを検出している状態で、前記接眼感知がされた際に、前記開閉自在な画像表示部と、前記電子ビューファインダーとが共に画像を表示し、前記接眼感知がされなかった際に、該開閉自在な画像表示部が画像を表示し、該電子ビューファインダーは画像を表示しないことを特徴とする撮影装置。
【請求項４】
収納位置と使用位置とに可動する電子ビューファインダー部と、該電子ビューファインダー部の位置を検出する手段と、筐体側部に取り付けられた開閉自在な画像表示部と、該画像表示部の開閉状態を検出する手段とを具備し、
前記開閉自在な画像表示部が開状態であり、かつ、前記電子ビューファインダー部が使用位置にあることを検出しているときに、フォーカス、露出、ホワイトバランスのいずれか、もしくは複数がマニュアル調整をする設定になった際に、前記開閉自在な画像表示部と前記電子ビューファインダーとが共に画像を表示し、マニュアル調整が一つも設定されなかった際に、該開閉自在な画像表示部が画像を表示し、該電子ビューファインダーは画像を表示しないことを特徴とする撮影装置。
【請求項５】
請求項１、請求項３、又は請求項４に記載の撮影装置において、前記開閉自在な画像表示部と前記電子ビューファインダーとが共に画像を表示することと、該開閉自在な画像表示部の開状態を検出した際には、該電子ビューファインダーには表示しないこととを、使用者が設定可能なことを特徴とする撮影装置。
【請求項６】
請求項１、請求項３、又は請求項４に記載の撮影装置において、前記電子ビューファインダーが画像表示をする際に、前記開閉自在な画像表示部が閉状態で、該電子ビューファインダーのみが画像表示をする場合に比して、より明るい表示をすることを特徴とする撮影装置。
【請求項７】
請求項１、請求項３、又は請求項４に記載の撮影装置において、前記開閉自在な画像表示部と前記電子ビューファインダーが共に画像を表示する際に、オンスクリーン表示をいずれか一方のみに表示することを特徴とする撮影装置。
【請求項８】
請求項７に記載の撮影装置において、オンスクリーン表示が、前記電子ビューファインダーと前記開閉自在な画像表示部のどちらに表示するかを、使用者が設定可能なことを特徴とする撮影装置。
【発明の詳細な説明】
【技術分野】
【０００１】
本発明は、複数の画像表示部を有する撮影装置に関するものである。
【背景技術】
【０００２】
従来、電子ビューファインダー（以下「ＥＶＦ」という）のほかに、筐体側部に開閉自在な画像表示部（以下「モニター部」という）が取り付けられた撮影装置では、一人の使用者が同時に見ることができるのは何れか一方の表示画像だけであるために、他方の見られない表示部に表示をしないことで、消費電力を削減する方式が取られてきた。その際、使用者がどちらの表示を見るかは、モニター部の開閉状態により判別されていた。即ち、開状態であればモニター部だけに表示をし、閉状態であればＥＶＦだけに表示をするものである。また、モニター部の開閉操作に連動して、撮影装置の所定の状態を自動的に制御し、利用者の操作を簡素化する方法もある。（例えば、特許文献１参照）
【特許文献１】特開平９−２２４１７６号公報
【発明の開示】
【発明が解決しようとする課題】
【０００３】
しかしながら、ＥＶＦとモニター部を併用して撮影を行いたい場合、使用者が表示画面を切り替えるためには、モニター部を毎回開閉しなければならないため、非常に煩わしさを伴うと同時に、電気的な表示切替に要する時間も、快適な操作の妨げになる問題があった。
【０００４】
また、主にモニター部を使用するが、周囲光の影響でこの画面が見づらいためにＥＶＦで確認をしたいときには、そのときだけＥＶＦが自動的に表示されると便利である。同様に、マニュアル調整を用いた撮影時にも細部の確認をするためにＥＶＦを使用するので、そのときにこれが自動的に表示されると便利である。本発明は上記の問題点に鑑みてなされたものであり、本出願に係る第１の発明の目的は、使用者に快適な操作ができる複数の画像表示部を有する撮影装置を提供することである。本出願に係る第２の発明の目的は、第１の発明の動作条件を撮影モードに限定することで、より消費電力を削減した撮影装置を提供することである。本出願に係る第３の発明の目的は、第１の発明の動作条件をＥＶＦへの接眼を感知したときに限定することで、より消費電力を削減した撮影装置を提供することである。本出願に係る第４の発明の目的は、第１の発明の動作条件をマニュアル調整による撮影であるときに限定することで、より消費電力を削減した撮影装置を提供することである。本出願に係る第５の発明の目的は、第１の発明の動作条件を使用者の設定に応じて有効とすることで、使用者の使い方に合致した撮影装置を提供することである。本出願に係る第６の発明の目的は、第１の発明による効果を、ある特定環境下において更に高めた撮影装置を提供することである。本出願に係る第７の発明の目的は、第１の発明による効果を用いて、更に使いやすさを高めた撮影装置を提供することである。本出願に係る第８の発明の目的は、第７の発明の効果を、使用者の使い方に合わせた撮影装置を提供することである。
【課題を解決するための手段】
【０００５】
上記目的を達成するため、本出願に係る第1の発明は、収納位置と使用位置とに可動する電子ビューファインダー部と、該電子ビューファインダー部の位置を検出する手段と、筐体側部に取り付けられた開閉自在な画像表示部と、該画像表示部の開閉状態を検出する手段とを具備し、前記開閉自在な画像表示部が開状態であり、かつ、前記電子ビューファインダー部が使用位置にあることを検出したときに、前記開閉自在な画像表示部と電子ビューファインダーとが共に画像を表示することを特徴としている。
【０００６】
係る構成において、使用者が電子ビューファインダーを使用する可能性のあることを検出することができるとともに、開閉自在な画像表示部の使用有無を検出することができる。開閉自在な表示部と電子ビューファインダーの両者を表示させることにより、使用者が利用する表示装置を変更する際に、開閉自在な表示部の開閉作業をしなくて済むとともに、電気的な表示切替に要する時間を待つことなく操作することができる。
【０００７】
また、本出願に係る第２の発明は、撮影モードにおいては第１の発明の動作を有し、再生モードにおいては、前記開閉自在な画像表示部が画像を表示し、前記電子ビューファインダーは画像を表示しないことを特徴としている。
【０００８】
係る構成において、撮影時には電子ビューファインダーと開閉自在な画像表示部を併用することができ、再生時には消費電力を削減することができる。
【０００９】
また、本出願に係る第３の発明は、収納位置と使用位置とに可動する電子ビューファインダー部と、該電子ビューファインダー部の位置を検出する手段と、電子ビューファインダーが覗かれていることを検出する接眼感知手段と、筐体側部に取り付けられた開閉自在な画像表示部と、該画像表示部の開閉状態を検出する手段とを具備し、前記開閉自在な画像表示部が開状態であり、かつ、前記電子ビューファインダー部が使用位置にあることを検出している状態で、前記接眼感知がされた際に、前記開閉自在な画像表示部と該電子ビューファインダーとが共に画像を表示し、前記接眼感知がされなかった際に、該開閉自在な画像表示部が画像を表示し、該電子ビューファインダーは画像を表示しないことを特徴としている。
【００１０】
係る構成において、使用者が電子ビューファインダーを使用する可能性のあることを検出することができるとともに、実際に使用者が電子ビューファインダーを見ていることを検出することができる。開閉自在な画像表示部の使用有無を検出することができる。接眼を感知された際に、電子ビューファインダーに画像が表示され、接眼を感知されなかった際には表示されないことにより、消費電力を削減することができる。
【００１１】
また、本出願に係る第４の発明は、収納位置と使用位置とに可動する電子ビューファインダー部と、該電子ビューファインダー部の位置を検出する手段と、筐体側部に取り付けられた開閉自在な画像表示部と、該画像表示部の開閉状態を検出する手段とを具備し、前記開閉自在な画像表示部が開状態であり、かつ、前記電子ビューファインダー部が使用位置にあることを検出しているときに、フォーカス、露出、ホワイトバランスのいずれか、もしくは複数がマニュアル調整をする設定になった際に、前記開閉自在な画像表示部と該電子ビューファインダーとが共に画像を表示し、マニュアル調整が一つも設定されなかった際に、該開閉自在な画像表示部が画像を表示し、該電子ビューファインダーは画像を表示しないことを特徴としている。
【００１２】
係る構成において、使用者が電子ビューファインダーを使用する可能性のあることを検出することができるとともに、開閉自在な画像表示部の使用有無を検出することができる。撮影における何らかのマニュアル調整をする設定になった際に、電子ビューファインダーに画像が表示されることにより、電子ビューファインダーで細部を確認する場合に、開閉自在な画像表示部を開閉する手間を省くことができる。
【００１３】
また、本出願に係る第５の発明は、開閉自在な画像表示部と電子ビューファインダーとが共に画像を表示することと、該開閉自在な画像表示部の開状態を検出した際には、該電子ビューファインダーには表示をしないこととを、使用者が設定可能なことを特徴としている。
【００１４】
係る構成において、開閉自在な画像表示部と電子ビューファインダーを併用する使用者は、その手段を有効にし、併用しない使用者は消費電力を削減することができる。
【００１５】
また、本出願に係る第６の発明は、開閉自在な画像表示部と電子ビューファインダーとが共に画像を表示する際の電子ビューファインダーの明るさを、開閉自在な画像表示部が閉状態で電子ビューファインダーだけが表示をするときに比べて、より明るくすることを特徴とする撮影装置。
【００１６】
係る構成において、撮影時の周囲光が眩しい状況下で電子ビューファインダーを使用する際に、表示をより見やすくすることができる。
【００１７】
また、本出願に係る第７の発明は、開閉自在な画像表示部と電子ビューファインダーが共に画像を表示する際に、オンスクリーン表示をいずれか一方のみに表示することを特徴としている。
【００１８】
係る構成において、一方の画面では撮影画像もしくは再生画像を障害するもの無く表示することができ、他方の画面では動作に関する詳細な情報を表示することができる。
【００１９】
また、本出願に係る第８の発明は、オンスクリーン表示を電子ビューファインダーと開閉自在な画像表示部のどちらに表示するかを、使用者が設定可能なことを特徴としている。
【００２０】
係る構成において、２つの表示部の使い分けを使用者が選択できる。
【発明の効果】
【００２１】
本発明によれば、電子ビューファインダーと開閉自在な画像表示部を併用して使用する際に、操作手数と表示切替時間を削減し、快適な操作をすることができる。
【発明を実施するための最良の形態】
【００２２】
次に、本発明の詳細を実施例の記述に従って説明する。
【実施例１】
【００２３】
本発明による第１の実施例を説明する。
【００２４】
図１は本発明に係る実施例１の撮影装置を示した外観図である。レンズ部や記録部、各種スイッチ等が組み込まれた撮影装置本体１に、収納状態と使用状態でその位置が可動する電子ビューファインダー部２（以下「ＥＶＦ」という）と、開閉および回転が可能な画像表示部３（以下「モニター部」という）が備え付けられている。撮影装置本体１にある電源スイッチ４をオンにし、撮影モードもしくは再生モードにすると、そのモードに応じた画像が、ＥＶＦ部２や画像表示部３に表示される。
【００２５】
また、それぞれの表示部に画像を表示するかは、ＥＶＦ位置検出装置およびモニター部開閉検出装置の出力により、その組み合わせが変化する。ここで、このＥＶＦ位置検出装置とモニター部開閉検出装置は、従来より公知のものと同等で良い。ＥＶＦ２が使用位置で、かつモニター部３が開状態の例を図１（a）に、ＥＶＦが収納位置で、かつモニター部３が閉状態の例を図１（b）に示す。
【００２６】
表示出力組み合わせの第1の状態は、ＥＶＦ２が使用位置にあり、かつ、モニター部３が開状態のときである。このときには、ＥＶＦ２およびモニター部３の両方が画像を表示する。ここで、ＥＶＦ２が使用位置にあることから、使用者がこれを利用する意図を持っていると判断するとともに、モニター部３が開状態であることから、使用者がこれを利用する意図を持っていると判断できる。この状態では、使用者がＥＶＦ２とモニター部３を任意のタイミングで使い分けをしたい場合に有効であり、撮影装置に対する特別な動作や、表示切替に伴う待ち時間を要さずに、見たい表示部に視線を移すだけで済む。
【００２７】
第２の状態は、ＥＶＦ２が収納位置にあり、かつ、モニター部３が開状態のときである。このときには、ＥＶＦ２は表示をせず、モニター部３は表示をする。ここで、ＥＶＦ２が収納位置にあることから、使用者がこれを利用する意図は無いと判断できるとともに、モニター部３が開状態であることから、使用者がこれを利用する意図を持っていると判断する。この状態では、使用者が見ることのない表示部をオフにすることで、消費電力を削減することができる。
【００２８】
第３の状態は、ＥＶＦ２の位置に関わらず、モニター部３が閉状態のときである。このときには、ＥＶＦ２は表示をし、モニター部３は表示をしない。ここで、モニター部３が閉状態であることから、使用者がこれを利用する意図は無いと判断できる。この状態では、使用者がＥＶＦ２を利用しているかに関わらず、電源が入っていることを示唆する意味でも、ＥＶＦ２を表示させておく。また、使用者が見ることのない表示部をオフにすることで、消費電力を削減することができる。
【００２９】
上記による動作のフローチャートを図２に示す。
【００３０】
また、第１の状態におけるＥＶＦ２とモニター部３が併用される理由として、使用時の周囲光が眩しいために、モニター部３の表示が見え難いということが考えられる。このような状況を鑑みて、第１の状態におけるＥＶＦ２の表示輝度を、第３の状態に比べて明るくしておくことも有用である。
【００３１】
また、撮影装置の表示部には、撮影画像もしくは再生画像のほかに、装置の各種設定情報などを示したオンスクリーン表示（以下「ＯＳＤ」という）が重ねて表示される。この際、ＯＳＤが最前面になるように重ねられるため、その背後にある撮影画像もしくは再生画像は見えなくなってしまう。
【００３２】
しかし、このＯＳＤで表示される設定情報は、全ての表示部に出力される必要はなく、いずれか１つに表示されていれば、十分にその役割を果たすものである。他方の表示部には撮影画像もしくは再生画像のみを表示することにより、これらを障害物の無い状態で見る事ができる。
【００３３】
更に、使用者自身がＯＳＤをＥＶＦ２とモニター部３のどちらに表示するのかを設定可能にすることで、使用者によって異なる各表示部に対する要求に応えることを可能とする。
【実施例２】
【００３４】
本発明による第２の実施例を説明する。
【００３５】
第1の実施例に、更に設定や検出手段を追加することによって、第1の状態におけるＥＶＦ２とモニター部３とが同時に表示される動作に制限を設け、消費電力の削減を図る。
【００３６】
１つは、ＥＶＦ２とモニター部３とが同時に表示されるのを、撮影モードに限定することである。既に撮影済みの映像を再生して見る場合、多くの人はより見易く取り付けられた１つの表示部だけを利用する傾向が強い。従って、第1の状態においては、モニター部３が開状態であることから、使用者がモニター部３を利用するという意図を検出できるため、ＥＶＦ２は利用されない可能性が高い。このためＥＶＦ２に表示をさせないことにより、消費電力を削減する。この動作のフローチャートを図３に示す。
【００３７】
１つは、ＥＶＦ２に使用者が覗き込んでいることを検出する接眼感知手段を追加し、この検出がされたときだけ、ＥＶＦ２を表示されるものである。これによって、使用者がＥＶＦ２を利用しているかを更に高い精度で判別でき、利用されていないときの消費電力を効率的に削減することができる。この動作のフローチャートを図４に示す。
【００３８】
１つは、フォーカス、露出、ホワイトバランスといった撮影に関わる要素を、使用者自らがマニュアルで調整する設定になったときだけ、ＥＶＦ２に表示をするものである。これは使用者が前記のマニュアル調整をする際には、ＥＶＦ２を利用して撮影画像を確認するが多いためである。この動作のフローチャートを図５に示す。
【００３９】
１つは、ＥＶＦ２とモニター部３とが同時に表示をするか、またはしないかを、使用者が設定可能にすることである。これによって、使用者が２つの表示部の同時表示を利用するかを明確に判断することができる。この動作のフローチャートを図６に示す。
【００４０】
上記に複数の方法を示したが、これらを単一で用いるだけでなく、複数の組み合わせとしても良いことは勿論である。
【図面の簡単な説明】
【００４１】
【図１】本発明の第１の実施例に係る撮影装置の外観図である。
【図２】本発明の第１の実施例に係る撮影装置の動作示すフローチャートである。
【図３】本発明の第２の実施例に係る撮影装置で、２つの表示部に同時表示することを撮影モードに限定した動作示すフローチャートである。
【図４】本発明の第２の実施例に係る撮影装置で、２つの表示部に同時表示することを接眼が検出されたときに限定した動作示すフローチャートである。
【図５】本発明の第２の実施例に係る撮影装置で、２つの表示部に同時表示することをマニュアル調整撮影に限定した動作示すフローチャートである。
【図６】本発明の第２の実施例に係る撮影装置で、２つの表示部に同時表示することを使用者が設定可能にした動作示すフローチャートである。
【符号の説明】
【００４２】
１  撮影装置本体
２  ＥＶＦ
３  モニター部
４  電源スイッチ
【図１】
2009130825.tif 000003
【図２】
2009130825.tif 000004
【図３】
2009130825.tif 000005
【図４】
2009130825.tif 000006
【図５】
2009130825.tif 000007
【図６】
2009130825.tif 000008